(57)【要約】【課題】本発明は引戸方式のドアに電力及び映像信号を伝送する引戸方式のドアの電力及び映像信号に関するものである。【解決手段】  本発明は引戸方式のドアに電力、及び、映像信号を伝送することとして、出入りする通路の上部壁面に固定されるフレーム、映像表示装置。複数の照明ランプが取付けられるドア、フレーム。フレームとドアの間に装備されドアを左右にスライドさせ出入通路を閉鎖するドアのスライド部、及び、映像表示装置。複数の照明ランプに電力を供給する電力供給部、フレームで映像表示装置に映像信号を供給する映像信号供給部を含む引戸方式のドアの電力映像信号伝送に関すること。【選択図】図２
2018003570.tif 000002
【特許請求の範囲】
【請求項１】
出入りする通路の上部壁面に固定されるフレームと、
映像表示装置及び複数の照明ランプが装着されるドアと、
上記フレーム、及び、ドアの間に装備され、ドアを左右にスライドさせて通路を開閉するスライド部と、
フレームには、映像表示装置、及び、複数の照明ランプに電力を供給する電力供給部と、
映像表示装置に映像信号を供給する映像信号伝送部とを備えることを特徴とする引戸方式ドアの電力、及び、映像信号伝送装置。
【請求項２】
映像信号伝送部は、フレームに固定され、映像信号出力装置から出力される映像信号が入力される第一コネクターと、
ドアに固定され、映像表示装置に映像信号を出力する第二コネクターと、
第一、第二コネクターを電気で連結して、映像信号を伝送するフレキシブルケーブルを含めて構成されたことを特徴とする請求項１記載の引戸方式ドアの電力、及び、映像信号伝送装置。
【請求項３】
映像信号伝送部は、フレキシブルケーブルを保護するための保護用ホームを含めて構成されたことを特徴とする請求項２記載の引戸式ドアの電力、及び、映像信号伝送装置。
【発明の詳細な説明】
【技術分野】
【０００１】  本発明は引戸方式のドアに電力及び映像信号を伝送する引戸方式のドアの電力及び映像信号に関するものである。
【背景技術】
【０００２】  一般的にドアは建物の出入り、又は、建物内部に区画された空間を出入りするために出入口の通路に設置される。
ドアとしては、左右方向にスライドさせて開閉する引戸方式と、取手を握って前後に押したり引いたりする開き戸、及び、出入りする通路の中央に固定軸を設け、これを中心としてドアを回転させる回転方式のドアが代表的に使用されている。
そして、スライド方式の引戸と開閉式の開き戸、及び、回転方式のドアを動力によって自動的に開閉するドアが広く普及し利用されている。
引戸方式の出入口を開閉する先行技術は、大韓民国登録特許第１０−１０７５７３４号が知られている。
上記の先行技術によると、出入りする通路を開閉するドアの上部両側に、それぞれブラケットが固定され、ドアの片方に設置されたブラケットには駆動モーター、減速機、回転軸に合同ローラーが取り付けられた駆動装置が設置され、反対側には案内ローラーが設置され、駆動装置の合同ローラと案内ローラーをゴム又は金属ワイヤー等で作られたベルト（図示されていない）で繋ぎベルトコンベヤのように駆動させる。
ベルトへフレーム下部に具備されたレールに沿って移動するハンガーが設置され、ハンガーへドアが取り付けられる。
従って、出入口の自動駆動装置、及び、案内ローラーを出入りする通路の上部に固定されたフレームに安着させた状態で、駆動モーターが駆動することによって、駆動モーター、及び、案内ローラーが同時に回転しながらベルトへ設置されたハンガーを左右に移動して、ハンガーへ取り付けられたドアが開閉又は閉鎖される。
空間の効率的な活用や広告効果を高めるため、周辺環境にマッチする絵画広告等を所定の印刷物にしてドアに付着させている。
そして、印刷物を照らす照明ランプ等を設置して出入口を利用する人達に審美観を与え、是認性を向上させて広告効果を高めるようにしている。
照明ランプを利用した広告は、片側が固定された開閉式のドア、及び、出入りする通路の中央に固定軸が具備される回転方式のドアには、構造的に簡単に電力を供給して照明ランプを点灯させる事が出来る。
引戸方式のドアに設置された照明ランプに電力を供給する技術としては、大韓民国登録特許第１０−１４９３１４６が知られている。
上記の先行技術によると、出入りする通路の上部壁面に固定されるフレームと出入口の間に電力供給部を具備して、フレームから扉へ電力を供給している。
しかし、上記の先行技術は電力供給部が出入口に電力だけを供給して照明ランプを点灯させる等、広告効果を制限されていた。
最近は、出入口のドアに映像表示装置を固定させて、多様な種類の動画を表示して広告効果を極大化できるようにしている。
しかし、左右にスライドして出入りする通路を開閉する扉に映像信号を伝送できなかったことから、このドアに固定された映像表示装置は、保存装置に保存されている映像信号だけを処理し、表示パネルに表示することで表示可能な映像を制限された。
つまり、扉に映像表示装置を固定して、これに広告映像等、様々な種類の映像を提供して表示しなければならない。
しかし、上記の先行技術はドアの映像表示装置に電力だけを供給して映像信号は伝送できなかった。
従って、使用者たちは映像表示装置で映像信号を保存しているメモリーを分離して映像信号を保存した後、再び映像表示装置に装着して、メモリーに保存されている映像信号を処理し、表示パネルに表示することにしている。
しかし、この作業が非常に面倒だけでなく、使用者におおくの時間が費やされた。
また、外部の映像信号提供装置がリアルタイムで受信するテレビ放送映像等を映像表示装置に提供し、表示パネルに表示する事ができなかった。
【先行技術文献】
【特許文献】
【０００３】
【特許文献１】大韓民国登録  特許第１０−１０７５７３４号（２０１１／１０／１４  登録）
【特許文献２】大韓民国登録  特許第１０−１４９３１４６号（２０１５／０２／０６  登録）
【発明の概要】
【発明が解決しようとする課題】
【０００４】  本発明が解決しようとする課題は、引戸式の出入口に電力を供給することはもちろん、映像信号を提供できるようにして、出入口に固定されている映像表示装置が外部の映像提供信号装置から出力する多様な映像信号を処理し、表示パネルに表示する引戸方式の扉用電力、及び、映像信号伝送装置を提供する。
また、本発明が解決しようとする課題は、上記で言及した課題に制限されず、言及されていない課題も、以下の記載から本発明が属する技術分野で通常の知識を持った者であれば明確に理解することができるだろう。
【課題を解決するための手段】
【０００５】  本発明の引戸方式の扉用電力及び映像信号伝送装置によると、出入りする通路の上部壁面に固定されるフレームと映像信号伝送装置及び複数の照明ランプが取付けられる扉、及び、フレームの間に装備される扉を左右にスライドさせ、これに向かう通路を開閉するドアスライド部とフレームで、映像信号伝送装置に映像信号を供給する映像信号伝送部を含めて構成される。
画像信号伝送部はフレームに固定され映像信号提供装置から出力される信号が入力される第１コネクター、扉に固定される映像表示装置に映像信号を出力する第２コネクター、及び、第１、第２コネクターを電気で連結し映像信号を伝送するフレキシブルケーブルを含めて構成される。
さらに、映像信号伝送部は、フレーム下部に備えられたフレキシブルケーブルを保護するための保護用ホームを含め構成される。
【発明の効果】
【０００６】  本発明の引戸方式の扉の電気及び映像信号伝送装置は、左右にスライドし、移動する扉に電力及び映像信号を伝送することができる。
従って、引戸方式の扉に備えて電力を使用する各種機器、例えば、映像表示装置や照明ランプ等に電力を供給して作動させることができる。
また、スライド方式の扉に設置される映像表示装置には様々な映像信号を提供して表示できることはもちろん、映像表示装置にテレビ放送信号の映像信号をリアルタイムで提供して表示することもできる。
【図面の簡単な説明】
【０００７】
【図１】本発明の電力及び映像信号伝送装置の全体構成を見せる詳細図
【図２】同上の正面図
【図３】同上の拡大側面図
【図４】同上で電力の供給部の構成を見せる詳細図
【発明を実施するための形態】
【０００８】  以下の詳細な説明は例示に過ぎず、本発明の実施例を図示したものである。また、本発明の原理と概念は一般的で、簡単に説明する目的で提供される。
従って、本発明の基本理解を深めるために、必要以上の詳しい仕組みを提供しようとしていないこと、及び、通常の知識を持った者が本発明の流用され得る様々な形を図面として例示する。
図１：本発明の電力及び映像信号伝送装置の全体構成を見せる詳細図、
図２：上記同正面図、
図３：上記同拡大図
【０００９】  ドア（２００）には、所定の映像信号を処理し、表示パネルに表示する映像表示装置（２１０）を具備することができる。
ドア（２００）には複数の照明ランプ（２２０）を具備することができる。
図面には図示されていないが、ドア（２００）に所定の広告文案等が印刷された印刷紙を張付け、複数の照明ランプ（２２０）が印刷紙を証明するように具備することができる。
図２では、ドア（２００）の周辺に複数の照明ランプ（２２０）を設置して、全体を照明することを例に挙げて図示したが、これに限らず、照明しなければならない部位によっては設置位置や照明の角度を多様に変えることができる。
フレーム（１００）とドア（２００）の間には、ドアを左右にスライドさせ、向かう通路を開閉するドアスライド部（３００）と、左右にスライドするドアに電力を供給する電力供給部（４００）と、映像信号提供装置（図示していない）で提供する所定の映像信号を左右にスライドできるドアに伝送する映像信号伝送部（５００）を含め構成される。
ドアスライド部（３００）は、摩耗からエンジンレール（１００）を保護する目的で直行する方向にレール（３２０）が取り付けられる。
ドアスライド部（３００）は、ドア（２００）の上面左右両側にハンガー（３３０）取り付けることができる。ハンガー（３３０）はレール（３２０）に沿って回転しながらドア（２００）を左右にスライドさせる。
このような構成のドアスライド部（３００）は、所定のアクチュエーター（図示していない）、例えば、駆動モーターが駆動される場合にハンガー（３３０）を左右に移動する力が発生する。
ハンガー（３３０）に装備されている案内ローラー（３３２）はレール（３２０）の上部に回転可能に設置されている。
従って、駆動モーターがハンガー（３３０）を左右に移動させることによって、案内ローラー（３３２）がレール（３２０）に沿って時計回り、または、反時計回りの方向に回転し、ハンガー（３３０）を左右に移動させることにより、ハンガー（３３０）に取り付けられたドア（２００）が左右に移動しながら出入りをする通路を開閉させるようになる。
ドアスライド部（３００）の構成は、一つを例に挙げて図示して説明したものとして、本発明を実施するにあたっては、これに限らず、多様な構成で引戸方式のドア（２００）をスライドして出入りする通路を開閉させるように構成することもできる。
電力供給部（４００）は、図４に図示したことと同じに、フレーム（１００）に形成された固定部材（３１０）の上部に下部が開閉されているガイド固定部材（４１０）がフレーム（１００）と一体で整って、ガイド固定部材（４１０）の内側に不導体の電力供給ガイド（４２０）が挿入されて固定される。
電力供給ガイド（４２０）の内側の上面には複数の電力供給レール装着ホーム（４２２）が形成されて、複数の電力供給レール（４２４）がそれぞれ装着される。
例えば、電力供給ガイド（４２０）の内側の上面には、二つの電力供給レール装着ホーム（４２２）が形成されて、其々に、ドア（２００）の映像表示装置（２１０）及び複数の照明ランプ（２２０）に供給される電力が入力される二つの電力供給レール（４２４）が装着される。
そして、電力供給ガイド（４２０）の下段には、幅手方向の左右両側に挿入ホーム（４２６）が形成されて、これを受け、移動本体（４３０）が長手方向にスライドするように構成される。
移動の本体（４３０）は幅手方向に左右両側に、挿入ホーム（４２６）に挟まれてスライドするガイド（４３２）が具備されることと併せて、上部に二つの接続端子（４３４）が突出され、二つの電力供給レール（４２４）と接触し通電されて二つの接続端子（４３４）に通電された電力が電力供給ライン（４３４ａ）通じてドア（２００）の映像表示装置（２１０）や複数の照明ランプ（２２０）に供給されるように構成される。
移動の本体（４３０）には連結用突起（４３６）が下方に突出されて、ハンガー（３３０）には連結用溝（４３８ａ）が具備された連結部材（４３８）が固定され、連結用溝（４３８ａ）に連結用突起（４３６）がはまるように構成される。
このような構成を持つ電力供給部（４００）は、上述のように、ドアスライド部（３００）のハンガー（３３０）が左右に移動してドア（２００）を開閉させる場合に固定されている連結部材（４３８）が左右に移動することになる。
連結部材（４３８）には連結用溝（４３８ａ）が形成されていて、連結溝（４３８ａ）には、移動の本体（４３０）で下方に突出している連結用突起（４３６）が装着されているので連結用突起（４３６）の左右移動に応じて、移動の本体（４３０）が一緒に左右に移動することになる。
移動本体（４３０）の上部には電力が通る二つの電力供給レール（４２４）が備わっているので、移動本体（４３０）には二つの接続端子（４３４）が上方に突出して二つの電力供給レール（４２４）と引続き接続状態を保つようになる。
従って、ハンガー（３３０）が左右に移動し、移動の本体（４３０）が左右に移動しても二つの電力供給レール（４２４）に供給されている電力が二つの接続端子（４３４）に伝達され、電力供給ライン（４３４ａ）を通じてドア（２００）の映像表示装置（２１０）や複数の照明ランプ（２２０）で供給される。
映像信号伝送部（５００）は、フレーム（１００）に形成された固定部材（３１０）の下面に保護用ホーム（５１０）が一体で形成される。
そして、保護用ホーム（５１０）の片側には第一コネクター（５２０）が固定されて、第一コネクター（５２０）は、テレビの受像機や映像再生装置等の映像信号提供装置で提供される映像信号が入力される。
第一コネクター（５２０）が固定された部位に対向するドア（２００）の一方の側には映像表示装置（２１０）で、映像信号を供給するための第二コネクター（５３０）が固定され、第一、第二コネクター（５２０、５３０）の間には映像信号を伝送するためのフレキシブルケーブル（５４０）が連結されている。
このような構成を持つ映像信号伝送部（５００）は固定部材（３１０）の下面に一体で保護用ホーム（５１０）に第一コネクター（５２０）が固定されており、ドア（２００）の上部に第二コネクター（５３０）が固定されていて、第一、第二コネクター（５２０、５３０）の間には映像信号を伝送するためのフレキシブルケーブル（５４０）が連結されている。
従って、ドア（２００）が左右に移動して出入り通路を閉鎖させてもフレキシブルケーブル（５４０）には断線が発生せず、第一コネクター（５２０）に入力される所定の映像信号を、第二コネクター（５３０）を通じて映像表示装置（２１０）に伝送することができる。
ここで、保護用ホーム（５１０）は、ドア（２００）の移動によって折り曲げられるフレキシブルケーブル（５４０）の一部が挿入され、フレキシブルケーブル（５４０）が損なわれないように保護することになる。
そして、映像信号提供装置が第一コネクター（５２０）に提供する映像信号がフレキシブルケーブル（５４０）を通じてドア（２００）に固定されている第二コネクター（５３０）に入力され、これで伝送された映像信号をドア（２００）に取り付けられている映像表示装置（２１０）に供給される。
従って、映像表示装置（２１０）は、映像信号提供装置が提供する各映像信号を処理し、表示パネルに表示できる。
ここで、映像信号提供装置が、テレビ受像機の場合に、これが受像するリアルタイムの放送映像信号を映像表示装置（２１０）が処理し、表示パネルに表示できる。
以上のとおり、代表的な実施例を通じて本発明について詳細に説明したが、本発明が属する技術分野で通常の知識を持った者により、上述の実施例について、本発明の範囲から抜け出さない限度内で様々な変形が行われ、各実施例の全部または一部が選択的に組合わされて構成されるかもしれない。
従って、本発明の権利範囲は説明された実施例に限り決まってはならず、後述する特許請求範囲だけでなく、この特許請求の範囲と均等なもの等によって定めなければならない。
【符号の説明】
【００１０】１００：出入りする通路（図示していない）の上部に固定されるフレーム。
２００：上記に向かう通路を開閉するドア。
２１０：映像表示装置
２２０：複数の照明ランプ
３００：ドアスライド部
３１０：固定部材
３２０：レール
３３０：ハンガー
３３２：案内ローラー
４００：電力供給部
４１０：ガイド固定部材
４２０：電力供給ガイド
４２２：電力供給レール装着ホーム
４２４：電力供給レール
４２６：挿入ホーム
４３０：移動本体
４３２：ガイド
４３４：接続端子
４３４ａ：電力供給ライン
４３６：連結用突起
４３８：連結用部材
４３８ａ：連結用溝
５００：映像信号伝送部
５１０：保護用ホーム
５２０：第一コネクター
５３０：第二コネクター
５４０：フレキシブルケーブル
【図１】
2018003570.tif 000003
【図２】
2018003570.tif 000004
【図３】
2018003570.tif 000005
【図４】
2018003570.tif 000006